(57)【要約】【課題】  開封により開口した開口部からカットシートの冊を容易に取り出せるようにしたカットシート梱包ケースを提供する。【解決手段】  縦折れ線イ，ロ，ハ，ニを介して横方向に連設された左右側面胴部パネル１，３及び天底面胴部パネル２，４と、天底面胴部パネル２，４の縦方向の両端部に横折れ線ホ，ヘを介して連設された外蓋パネル６，７と、左右側面胴部パネル１，３の縦方向の両端部に横折れ線ト，チを介して連設された内蓋パネル８，９とを有するカットシート梱包ケースであって、天面胴部パネル２に、その縦方向の一端から他端方向へ所定寸法入った位置に幅方向に横切る天面横折れ線リを設け、左右側面胴部パネル１，３には、左右側胴部パネル１，３と底面胴部パネル４との間の縦折れ線ハ，ニの端部ａ，ｃと天面横折れ線リの端部ｂ，ｄとを結ぶ側面斜め折れ線ヌ，ルを設け、天面胴部パネル２と左右側胴部パネル１，３との間の縦折れ線イ，ロ上には、その端部ｅ，ｆから天面横折れ線リと側面斜め折れ線ヌ，ルの交点との間にスリットまたはミシン目による切断部１０を設けた。【選択図】  図１
2005053519.tif 000002
【特許請求の範囲】
【請求項１】
展開状態において縦折れ線を介して横方向に連設された右側面胴部パネルと天面胴部パネルと左側面胴部パネルと底面胴部パネルと、このうちの一端側にある前記胴部パネルの横方向端部に縦折れ線を介して連設され胴部形成時に他端側にある前記胴部パネルに接着される糊代パネルと、前記天面胴部パネルと前記底面胴部パネルのそれぞれ縦方向の両端部に横折れ線を介して連設された外蓋パネルと、前記右側面胴部パネルと前記左側面胴部パネルのそれぞれ縦方向の両端部に横折れ線を介して連設された内蓋パネルとを有するカットシート梱包ケースであって、
前記天面胴部パネルに、天面胴部パネルの縦方向の一端から他端方向へ所定寸法入った位置に幅方向に横切る天面横折れ線が設けられ、前記右側面胴部パネルと前記左側面胴部パネルには、前記右側胴部パネルと底面胴部パネルとの間の縦折れ線の端部と前記天面横折れ線の端部及び前記左側面胴部パネルと底面胴部パネルとの間の縦折れ線の端部と前記天面横折れ線の端部とを結ぶ側面斜め折れ線が設けられ、更に、前記天面胴部パネルと右側胴部パネル及び左側面胴部パネルとの間の縦折れ線上には、その端部から前記天面横折れ線と側面斜め折れ線の交点との間にスリットまたはミシン目による切断部が設けられていることを特徴とするカットシート梱包ケース。
【請求項２】
展開状態において縦折れ線を介して横方向に連設された右側面胴部パネルと天面胴部パネルと左側面胴部パネルと底面胴部パネルと、このうちの一端側にある前記胴部パネルの横方向端部に縦折れ線を介して連設され胴部形成時に他端側にある前記胴部パネルに接着される糊代パネルと、前記天面胴部パネルと前記底面胴部パネルのそれぞれ縦方向の両端部に横折れ線を介して連設された外蓋パネルと、前記右側面胴部パネルと前記左側面胴部パネルのそれぞれ縦方向の両端部に横折れ線を介して連設された内蓋パネルとを有するカットシート梱包ケースであって、
前記天面胴部パネルに、天面胴部パネルの縦方向の一端から他端方向へ所定寸法入った位置に幅方向に横切る天面横折れ線が設けられ、前記右側面胴部パネルと前記左側面胴部パネルには、前記天面横折れ線の端部と、前記右側胴部パネルと底面胴部パネルとの間の縦折れ線及び左側面胴部パネルと底面胴部パネルとの間の縦折れ線とを結ぶ側面折れ線が設けられ、更に、前記天面胴部パネルと右側胴部パネル及び左側面胴部パネルとの間の縦折れ線上には、その端部から前記天面横折れ線と側面折れ線の接点との間にスリットまたはミシン目による切断部が設けられ、更に、前記底面胴部パネルと右側胴部パネル及び左側面胴部パネルとの間の縦折れ線上には、その端部から前記右側面胴部パネルと前記左側面胴部パネルに設けられた側面折れ線と縦折れ線の接点との間にスリットまたはミシン目による切断部が設けられていることを特徴とするカットシート梱包ケース。
【請求項３】
前記各内蓋パネルには、前記天面胴部パネルに連接している外蓋パネルの先端の幅方向の両端のコーナ部が差し込み可能な固定用切り込みが形成されていることを特徴とする請求項１又は２に記載のカットシート梱包ケース。
【請求項４】
前記各外蓋パネルの先端の幅方向の両端のコーナ部には、コーナー折れ線を介して摘み片が設けられ、該摘み片は前記内蓋パネルに接着されないことを特徴とする請求項１又は２に記載のカットシート梱包ケース。
【発明の詳細な説明】
【技術分野】
【０００１】
本発明はカットシートを梱包するカットシート梱包ケースに関するものである。
【背景技術】
【０００２】
複写用紙、印刷用紙、転写用紙、感圧紙、プリンタ用紙等のカットシートは、一般に所定の枚数を単位として包装用紙で包装され冊に形成され、そして所定の複数の冊を１単位としてダンボールや厚板紙製のケースに梱包されている。
【０００３】
かかるダンボールや厚板紙製のカットシート梱包ケースとして、ケース本体を形成する天面胴部パネル、左右側面胴部パネル、底面胴部パネルに一巻きするように設けられたカットテープを剥がしてカットシートの先端を露出させる開封手段を備えたカットテープ開封型のカットシート梱包ケースが多く使用されている。
【０００４】
しかしながら、このようなカットテープ開封型のカットシート梱包ケースでは、縦置きしないと開封することができず、また開封時にカットされて除去された部分がごみとなり、その始末が面倒であった。また、このタイプのものは、一旦開封すると再封することができず、カットシートの冊の端面が露出したままとなって、見た目が悪くなるといった問題があった。
【０００５】
そこで、これらを解決するカットシート梱包ケースとして、図１１に示すように、天面胴部パネル２０、左右側面胴部パネル２１，２２、底面胴部パネル２３及び前記天面胴部パネル２０と前記底面胴部パネル２３のそれぞれ縦方向の両端部に横折れ線２４、２５を介して連設された外蓋パネル２６，２７と、前記左側面胴部パネル２１と前記右側面胴部パネル２２のそれぞれ縦方向の両端部に横折れ線２８，２９を介して連設された内蓋パネル３０，３１とを有し、前記左右の内蓋パネル３０，３１に、それを縦に二分して左右側面胴部パネル２１，２２との間の横折れ線２８，２９を越えて伸びるミシン目３２，３３と、該ミシン目３２，３３の内端が二方向に延長されて左右側面胴部パネル２１，２２との間の横折れ線２８，２９の両端部に達するミシン目３４，３５とが入れられ、組立時において上下の外蓋パネル２６，２７の突合わせ両端部に前記２種のミシン目３２，３３，３４，３５が表れるように構成したものが提案されている（例えば、特許文献１参照。）。
【０００６】
このように構成されたカットシート梱包ケースによれば、開封に際し、左右側面胴部パネル２１，２２から左右の内蓋パネル３０，３１にかけて刻設されたミシン目２８，２９の左右側面胴部パネル２１，２２上にある部分、並びに、ミシン目３２，３３の露出している部分に沿って破断しその部分をめくりあげ、摘持片３６を形成し、摘持片３６を摘んで上方向に強く引き上げることにより、上記摘持片３６の形成のために一部が破断しているミシン目３２，３３とミシン目３４，３５の残りの部分が破断して、上側の外蓋パネル２６が内蓋パネル３０，３１の上半部と一体となって開口し、そして、下側の外蓋パネル２７を下方向に強く引き下げることにより、下側の外蓋パネル２７が内蓋パネル３０，３１の下半部と一体となって開口し、カットシートの取り出しが可能となる（図１２）。
【特許文献１】特開２００１−１３０５４７号公報
【発明の開示】
【発明が解決しようとする課題】
【０００７】
しかしながら、前述した構成のカットシート梱包ケースでは、開口部は天面胴部パネル２０、左右側面胴部パネル２１，２２、底面胴部パネル２３によって形成されるケース本体の端部が開くだけなので、この開口部からは包装されたカットシートの冊３７の端面が露出しているだけであるため、ケース本体からカットシートの冊３７を取り出し難いといった問題がある。また、カットシートの冊３７を取り出した後、開口部を外蓋パネル２６，２７で閉じようとしても、外蓋パネル２６，２７を閉じた状態に固定する手段がなく、開口部を外蓋パネル２６，２７で閉じる場合は、例えば、粘着テープ等の固定手段を用意しなければならないといった問題がある。
【０００８】
本発明の目的は、開封により開口した開口部からカットシートの冊を容易に取り出せるようにしたカットシート梱包ケースを提供することにある。  
本発明の他の目的は、カットシートの冊を取り出した後、開口部を蓋パネルで容易に閉じることができるカットシート梱包ケースを提供することにある。
【課題を解決するための手段】
【０００９】
上記の目的を達成する本発明の手段を説明すると、次の通りである。  
請求項１に記載の発明は、展開状態において縦折れ線を介して横方向に連設された右側面胴部パネルと天面胴部パネルと左側面胴部パネルと底面胴部パネルと、このうちの一端側にある前記胴部パネルの横方向端部に縦折れ線を介して連設され胴部形成時に他端側にある前記胴部パネルに接着される糊代パネルと、前記天面胴部パネルと前記底面胴部パネルのそれぞれ縦方向の両端部に横折れ線を介して連設された外蓋パネルと、前記右側面胴部パネルと前記左側面胴部パネルのそれぞれ縦方向の両端部に横折れ線を介して連設された内蓋パネルとを有するカットシート梱包ケースであって、前記天面胴部パネルに、天面胴部パネルの縦方向の一端から他端方向へ所定寸法入った位置に幅方向に横切る天面横折れ線が設けられ、前記右側面胴部パネルと前記左側面胴部パネルには、前記右側胴部パネルと底面胴部パネルとの間の縦折れ線の端部と前記天面横折れ線の端部及び前記左側面胴部パネルと底面胴部パネルとの間の縦折れ線の端部と前記天面横折れ線の端部とを結ぶ側面斜め折れ線が設けられ、更に、前記天面胴部パネルと右側胴部パネル及び左側面胴部パネルとの間の縦折れ線上には、その端部から前記天面横折れ線と側面斜め折れ線の交点との間にスリットまたはミシン目による切断部が設けられていることを特徴とする。
【００１０】
請求項２に記載の発明は、展開状態において縦折れ線を介して横方向に連設された右側面胴部パネルと天面胴部パネルと左側面胴部パネルと底面胴部パネルと、このうちの一端側にある前記胴部パネルの横方向端部に縦折れ線を介して連設され胴部形成時に他端側にある前記胴部パネルに接着される糊代パネルと、前記天面胴部パネルと前記底面胴部パネルのそれぞれ縦方向の両端部に横折れ線を介して連設された外蓋パネルと、前記右側面胴部パネルと前記左側面胴部パネルのそれぞれ縦方向の両端部に横折れ線を介して連設された内蓋パネルとを有するカットシート梱包ケースであって、前記天面胴部パネルに、天面胴部パネルの縦方向の一端から他端方向へ所定寸法入った位置に幅方向に横切る天面横折れ線が設けられ、前記右側面胴部パネルと前記左側面胴部パネルには、前記天面横折れ線の端部と、前記右側胴部パネルと底面胴部パネルとの間の縦折れ線及び左側面胴部パネルと底面胴部パネルとの間の縦折れ線とを結ぶ側面折れ線が設けられ、更に、前記天面胴部パネルと右側胴部パネル及び左側面胴部パネルとの間の縦折れ線上には、その端部から前記天面横折れ線と側面折れ線の接点との間にスリットまたはミシン目による切断部が設けられ、更に、前記底面胴部パネルと右側胴部パネル及び左側面胴部パネルとの間の縦折れ線上には、その端部から前記右側面胴部パネルと前記左側面胴部パネルに設けられた側面折れ線と縦折れ線の接点との間にスリットまたはミシン目による切断部が設けられていることを特徴とする。
【００１１】
請求項３に記載の発明は、請求項１又は２に記載の、前記各内蓋パネルには、前記天面胴部パネルに連接している外蓋パネルの先端の幅方向の両端のコーナー部が差し込み可能な固定用切り込みが形成されていることを特徴とする。
【００１２】
請求項４に記載の発明は、請求項１又は２に記載の、前記各外蓋パネルの先端の幅方向の両端のコーナー部には、コーナー折れ線を介して摘み片が設けられ、該摘み片は前記内蓋パネルに接着されないことを特徴とする。
【発明の効果】
【００１３】
上記のように構成された請求項１に記載の発明によれば、開封に際し、前記天面胴部パネルと前記底面胴部パネルに連設された外蓋パネルを、前記右側面胴部パネルと前記左側面胴部パネルに連設された内蓋パネルから剥がして開口させ、そして前記天面胴部パネルに連設された外蓋パネルを引き上げると、前記天面胴部パネルと右側胴部パネル及び左側面胴部パネルとの間の縦折れ線に設けられたスリットまたはミシン目による切断部の存在により天面胴部パネルの前部が持ち上がり、天面胴部パネルに設けられた天面横折れ線に沿って容易に折り曲がり、これにより、梱包されているカットシートの冊がその端面とともに上面の一部が露出する。次いで、右側胴部パネル及び左側面胴部パネルの開口側端部を外側に押し広げると、それぞれの開口側端部が側面斜め折れ線に沿って容易に折り曲がって開き、上側に重ねられているカットシートの冊の側面の一部が露出する。これにより、カットシートの冊を容易に取り出すことができるものとなる。
【００１４】
請求項２に記載の発明によれば、開封に際し、前記天面胴部パネルと前記底面胴部パネルに連設された外蓋パネルを、前記右側面胴部パネルと前記左側面胴部パネルに連設された内蓋パネルから剥がして開口させ、そして前記天面胴部パネルに連設された外蓋パネルを引き上げると、前記天面胴部パネルと右側胴部パネル及び左側面胴部パネルとの間の縦折れ線に設けられたスリットまたはミシン目による切断部の存在により天面胴部パネルの前部が持ち上がり、天面胴部パネルに設けられた天面横折れ線に沿って容易に折り曲がり、これにより、梱包されているカットシートの冊がその端面とともに上面の一部が露出する。次いで、右側胴部パネル及び左側面胴部パネルの開口側端部を外側に押し広げると、前記底面胴部パネルと右側胴部パネル及び左側面胴部パネルとの間の縦折れ線上に設けられたスリットまたはミシン目による切断部の存在により、それぞれの開口側端部が側面折れ線に沿って容易に折り曲がって開き、カットシートの冊の側面の一部が露出する。これにより、カットシートの冊を容易に取り出すことができるものとなる。
【００１５】
請求項３に記載の発明によれば、カットシートの冊を必要冊数取り出したら、先ず底面胴部パネルに連設された外蓋パネルを閉じてから、前記各内蓋パネルを閉じ、その後、天面胴部パネルに連設された外蓋パネルを閉じて、該外蓋パネルの先端の幅方向の両端のコーナー部を前記各内蓋パネルに形成されている固定用切り込みに差し込むことにより、開口部を再封止することができる。
【００１６】
請求項４に記載の発明によれば、開封に際し、前記天面胴部パネルと前記底面胴部パネルに連設された外蓋パネルの先端の幅方向の両端のコーナー部にコーナー折れ線を介して設けられている摘み片を摘んで外蓋パネルを内蓋パネルから剥がすことができるので、開封作業を容易に行うことができる。
【発明を実施するための最良の形態】
【００１７】
図１乃至図５は本発明に係るカットシート梱包ケースを実施する最良の形態の第１例を示したもので、図１は本例のカットシート梱包ケースの展開図、図２はカットシート梱包ケースの開封前の状態を示す斜視図、図３は図２に示すカットシート梱包ケースの外蓋パネルを開いた状態の斜視図、図４は図２に示すカットシート梱包ケースを開いた状態を示す斜視図、図５は図２に示すカットシート梱包ケースを開いた後に再封止した状態を示す斜視図である。
【００１８】
本例のカットシート梱包ケースは、展開状態において図１に示すように、、縦折れ線イ，ロ，ハを介して横方向に連設された右側面胴部パネル１と天面胴部パネル２と左側面胴部パネル３と底面胴部パネル４と、このうちの左端側にある前記底面胴部パネル４の横方向端部に縦折れ線ニ（胴部形成後は右側胴部パネルと底面胴部パネルとの間の縦折れ線ニとなる）を介して連設され胴部形成時に右端側にある前記右側面胴部パネル１に接着される糊代パネル５と、前記天面胴部パネル２と前記底面胴部パネル４のそれぞれ縦方向の両端部に横折れ線ホ、ヘを介して連設された外蓋パネル６，７と、前記右側面胴部パネル１と前記左側面胴部パネル３のそれぞれ縦方向の両端部に横折れ線ト、チを介して連設された内蓋パネル８，９とを有する。
【００１９】
前記天面胴部パネル２には、天面胴部パネル２の縦方向の一端から他端方向へ所定寸法入った位置に幅方向に横切って天面横折れ線リが設けられている。この天面横折れ線リが設けられている天面胴部パネル２の縦方向の一端から他端方向への寸法にあっては、特に限定されないが、少なくとも後述するカットシートの冊が取り出し易い程度にカットシートの冊の上面をその端部から露出させる寸法であることを要する。
【００２０】
また、前記右側面胴部パネル１と前記左側面胴部パネル３には、底面胴部パネル４に連設され糊代パネル５が接着される前記右側胴部パネル１の接着辺１ａ（胴部成型後は右側胴部パネルと底面胴部パネルとの間の縦折れ線ニと一致する）の端部ａと前記天面横折れ線リの一方の端部ｂ及び前記左側面胴部パネル３と底面胴部パネル４との間の縦折れ線ハの端部ｃと前記天面横折れ線リの他方の端部ｄとを結ぶ側面斜め折れ線ヌ，ルが設けられている。
【００２１】
更に、前記天面胴部パネル２と右側胴部パネル１及び左側面胴部パネル３との間の縦折れ線イ，ロには、端部ｅ，ｆから前記天面横折れ線リと側面斜め折れ線ヌ，ルの交点、即ち天面横折れ線リの両端部ｂ，ｄとの間にスリットまたはミシン目による切断部１０が設けられている。
【００２２】
更に本例は、前記各内蓋パネル８，９に、前記天面胴部パネル２に連設している外蓋パネル６の先端の幅方向の両端のコーナー部６ａが差し込み可能な固定用切り込み１１が形成されている。
【００２３】
また、本例は、前記各外蓋パネル６，７の先端の幅方向の両端のコーナー部６ａ，７ａには、コーナー折れ線オ，ワを介して摘み片１２，１３が設けられ、該摘み片１２，１３は前記内蓋パネル８，９に接着されないようになっている。そして、前記内蓋パネル８，９に形成される固定用切り込み１１は、組立時に前記外蓋パネル６に設けられている摘み片１２と重なる面に形成されている。
【００２４】
このような展開構造を有する本例では、縦折れ線イ，ロ，ハ，ニから右側面胴部パネル１、天面胴部パネル２、左側面胴部パネル３、底面胴部パネル４、糊代パネル５がそれぞれ谷折りされ、前記糊代パネル５が右側面胴部パネル１の接着辺１ａに接着されて筒状の胴部、即ちケース本体１４が形成される。
【００２５】
この状態で、カットシートの冊１５がケース本体１４内に収容されており、次ぎに、横折れ線ト、チから内蓋パネル８，９が谷折りされてケース本体１４の両側の開口部を塞ぎ、更に、横折れ線ホ、ヘから外蓋パネル６，７が谷折りされて前記内蓋パネル８，９の上に重ねられ接着されることにより、開口部が封止される（図２）。
【００２６】
このようにして封止されたカットシート梱包ケースの開封にあっては、前記内蓋パネル８，９の上に重ねられ接着されている外蓋パネル６，７を内蓋パネル８，９から剥がして封止されているケース本体１４の開口部を開口させる。このとき、前記外蓋パネル６，７の先端の幅方向の両端のコーナー部６ａ，７ａにコーナー折れ線オ，ワを介して設けられ、前記内蓋パネル８，９に接着されていない摘み片１２，１３を摘むことにより、外蓋パネル６，７を内蓋パネル８，９から容易に剥がすことができる。
【００２７】
そして前記天面胴部パネル２に連設された外蓋パネル６を引き上げると、前記天面胴部パネル２と右側胴部パネル１及び左側面胴部パネル３との間の縦折れ線イ，ロに設けられたスリットまたはミシン目による切断部１０の存在により、天面胴部パネル２の前部が持ち上がり、天面胴部パネル２に設けられた天面横折れ線リに沿って容易に折り曲がり、これにより、梱包されているカットシートの冊１５がその端面とともに上面の一部が露出する（図３）。
【００２８】
次いで、右側胴部パネル１及び左側面胴部パネル３の開口側端部を外側に押し広げると、それぞれの開口側端部が側面斜め折れ線ヌ，ルに沿って容易に折り曲がって開き、上側に重ねられているカットシートの冊１５の側面の一部が露出する（図４）。これによりケース本体１４の開口部が大きく開口し、該開口部からケース本体１４内に収容されているカットシートの冊１５を容易に取り出すことができるものとなる。
【００２９】
このようにしてケース本体１４内から必要な冊数のカットシートの冊１５を取り出したら、先ず底面胴部パネル４に連設された外蓋パネル７を閉じてから、前記各内蓋パネル８，９を閉じ、その後、天面胴部パネル２に連設された外蓋パネル６を閉じて、該外蓋パネルの先端の幅方向の両端のコーナー部６ａ、本例ではコーナー部６ａにコーナー折れ線オを介して設けられた摘み片１２を前記各内蓋パネル８，９に形成されている固定用切り込み１１に差し込むことにより、外蓋パネル６を内蓋パネル８，９に固定でき、これにより開封したケース本体１４の開口部を再封止することができる（図５）。
【００３０】
このとき、前記外蓋パネル６の先端の幅方向の両端のコーナー部６ａにコーナー折れ線オを介して設けられた摘み片１２は内蓋パネル８，９に接着しておらず、そして前記各内蓋パネル８，９に形成されている固定用切り込み１１は、組立時に前記外蓋パネル６に設けられている摘み片１２と重なる面に形成されているので、外蓋パネルを内蓋パネル８，９から剥がした際に、摘み片１２や内蓋パネル８，９に形成されている固定用切り込み１１の形が崩れることがないので、摘み片１２を固定用切り込み１１に容易に且つ確実に差し込むことができ、再封止を確実なものとすることができる。
【００３１】
図６乃至図１０は本発明に係るカットシート梱包ケースを実施する最良の形態の第２例を示したもので、図６は本例のカットシート梱包ケースの展開図、図７はカットシート梱包ケースの開封前の状態を示す斜視図、図８は図７に示すカットシート梱包ケースの外蓋パネルを開いた状態の斜視図、図９は図７に示すカットシート梱包ケースを開いた状態を示す斜視図、図１０は図７に示すカットシート梱包ケースを開いた後に再封止した状態を示す斜視図である。
【００３２】
本例のカットシート梱包ケースは、展開状態において図６に示すように、、縦折れ線イ，ロ，ハを介して横方向に連設された右側面胴部パネル１と天面胴部パネル２と左側面胴部パネル３と底面胴部パネル４と、このうちの左端側にある前記底面胴部パネル４の横方向端部に縦折れ線ニ（胴部形成後は右側胴部パネルと底面胴部パネルとの間の縦折れ線ニとなる）を介して連設され胴部形成時に右端側にある前記右側面胴部パネル１に接着される糊代パネル５と、前記天面胴部パネル２と前記底面胴部パネル４のそれぞれ縦方向の両端部に横折れ線ホ，ヘを介して連設された外蓋パネル６，７と、前記右側面胴部パネル１と前記左側面胴部パネル３のそれぞれ縦方向の両端部に横折れ線ト，チを介して連設された内蓋パネル８，９とを有する。この展開構造は前記第１例と同様である。
【００３３】
前記天面胴部パネル２には、前記第１例と同様に、天面胴部パネル２の縦方向の一端から他端方向へ所定寸法入った位置に幅方向に横切って天面横折れ線リが設けられている。また、前記右側面胴部パネル１と前記左側面胴部パネル３には、前記天面横折れ線リの端部ｂと右側面胴部パネル１の接着辺１ａ（胴部成型後は右側胴部パネルと底面胴部パネルとの間の縦折れ線ニと一致する）とを結ぶ側面折れ線カ及び天面横折れ線リの端部ｄと縦折れ線ハとを結ぶ側面折れ線ヨが設けられている。この側面折れ線カ，ヨは、本例では縦折れ線イ，ロと直交する方向に設けられているが、傾斜していてもよい。
【００３４】
更に、第１例と同様に、前記天面胴部パネル２と右側胴部パネル１及び左側面胴部パネル３との間の縦折れ線イ，ロには、端部ｅ，ｆから前記天面横折れ線リと側面折れ線カ，ヨの交点、即ち天面横折れ線リの両端部ｂ，ｄとの間にスリットまたはミシン目による切断部１０が設けられている。
【００３５】
更に、本例では、底面胴部パネル４と糊代パネル５との間の縦折れ線ニによって構成される底面胴部パネル４と右側胴部パネル１との間の縦折れ線ニ上及び前記底面胴部パネル４と左側面胴部パネル３との間の縦折れ線ハ上には、その端部から前記右側面胴部パネル１と前記左側面胴部パネル３に設けられた側面折れ線カ，ヨと縦折れ線ニ，ハの接点ｅ，ｆとの間にスリットまたはミシン目による切断部１６が設けられている。
【００３６】
更に本例も前記第１例と同様に、前記各内蓋パネル８，９に、前記天面胴部パネル２に連接している外蓋パネル６の先端の幅方向の両端のコーナー部６ａが差し込み可能な固定用切り込み１１が形成されており、また、前記各外蓋パネル６，７の先端の幅方向の両端のコーナー部６ａ，７ａには、コーナー折れ線オ，ワを介して摘み片１２，１３が設けられ、該摘み片１２，１３は前記内蓋パネル８，９に接着されないようになっている。そして、前記内蓋パネル８，９に形成される固定用切り込み１１は、組立時に前記外蓋パネル６に設けられている摘み片１２と重なる面に形成されている。
【００３７】
このような展開構造を有する本例では、第１例と同様にして、ケース本体１４が形成され、カットシートの冊１５がケース本体１４内に収容されて開口部が封止される（図７）。このようにして封止されたカットシート梱包ケースの開封にあっては、前記第１例と同様にして、前記内蓋パネル８，９の上に重ねられ接着されている外蓋パネル６，７を内蓋パネル８，９から剥がして封止されているケース本体１４の開口部を開口させ、そして前記天面胴部パネル２に連設された外蓋パネル６を引き上げると、天面胴部パネル２の前部が持ち上がり、天面胴部パネル２に設けられた天面横折れ線リに沿って折り曲がり、これにより、梱包されているカットシートの冊１５がその端面とともに上面の一部が露出する（図８）。
【００３８】
次いで、右側胴部パネル１及び左側面胴部パネル３の開口側端部を外側に押し広げると、前記底面胴部パネル４と右側胴部パネル１及び左側面胴部パネル３との間の縦折れ線ニ，ハ上に設けられたスリットまたはミシン目による切断部１６の存在により、それぞれの開口側端部が側面折れ線カ，ヨに沿って容易に折り曲がって開き、カットシートの冊１５の側面の一部が露出する（図９）。
【００３９】
これによりケース本体１４の開口部が大きく開口し、該開口部からケース本体１４内に収容されているカットシートの冊１５を容易に取り出すことができるものとなる。このようにしてケース本体１４内から必要な冊数のカットシートの冊１５を取り出したら、第１例と同様にして、開封したケース本体１４の開口部を再封止することができる（図１０）。
【００４０】
なお、上記例では、糊代パネル５を底面胴部パネル４に連設したが、本発明はこれに限定されるものではなく、この糊代パネル５を右側面胴部パネル１に連設してもよい。
【図面の簡単な説明】
【００４１】
【図１】本発明に係るカットシート梱包ケースを実施する最良の形態の第１例を示す展開図。
【図２】第１例のカットシート梱包ケースの開封前の状態を示す斜視図。
【図３】図２に示すカットシート梱包ケースの外蓋パネルを開いた状態の斜視図。
【図４】図２に示すカットシート梱包ケースを開いた状態を示す斜視図。
【図５】図２に示すカットシート梱包ケースを開いた後に再封止した状態を示す斜視図。
【図６】本発明に係るカットシート梱包ケースを実施する最良の形態の第２例を示す展開図。
【図７】第２例のカットシート梱包ケースの開封前の状態を示す斜視図。
【図８】図７に示すカットシート梱包ケースの外蓋パネルを開いた状態の斜視図。
【図９】図７に示すカットシート梱包ケースを開いた状態を示す斜視図。
【図１０】図７に示すカットシート梱包ケースを開いた後に再封止した状態を示す斜視図。
【図１１】従来のカットシート梱包ケースを示す展開図。
【図１２】従来のカットシート梱包ケースを開いた状態を示す斜視図。
【符号の説明】
【００４２】
１  右側面胴部パネル
１ａ  接着辺
２  天面胴部パネル
３  左側面胴部パネル
４  底面胴部パネル
５  糊代パネル
６  外蓋パネル
６ａ  コーナー部
７  外蓋パネル
７ａ  コーナー部
８，９  内蓋パネル
１０  切断部
１１  固定用切り込み
１２，１３  摘み片
１４  ケース本体
１５  カットシートの冊
１６  切断部
イ，ロ，ハ，ニ  縦折れ線
ホ，ヘ，ト，チ  横折れ線
リ  天面横折れ線
ヌ、ル  側面斜め折れ線
オ，ワ  コーナー折れ線
カ，ヨ  側面折れ線
ａ  接着辺１ａの端部
ｂ  天面横折れ線リの一方の端部
ｃ  縦折れ線ハの端部
ｄ  天面横折れ線リの他方の端部
ｅ  縦折れ線イの端部
ｆ  縦折れ線ロの端部
ｇ  側面折れ線カと縦折れ線ニの接点
ｈ  側面折れ線ヨと縦折れ線ハの接点
【図１】
2005053519.tif 000003
【図２】
2005053519.tif 000004
【図３】
2005053519.tif 000005
【図４】
2005053519.tif 000006
【図５】
2005053519.tif 000007
【図６】
2005053519.tif 000008
【図７】
2005053519.tif 000009
【図８】
2005053519.tif 000010
【図９】
2005053519.tif 000011
【図１０】
2005053519.tif 000012
【図１１】
2005053519.tif 000013
【図１２】
2005053519.tif 000014